(57)【要約】【課題】遊技者がいかなる姿勢で装飾シートを見ても、該装飾シートに描かれた図柄を立体視できるようにする。【解決手段】装飾シートを第一レンチキュラー板１２と第二レンチキュラー板１４と第一レンチキュラー板１２の裏面に貼付したフィルム１６で構成し、第一レンチキュラー板１２に、レンズ配設方向を第一レンチキュラー板１２のレンズ配設方向に直交させた第二レンチキュラー板１４を重ね、第一、第二の両レンチキュラー板１２、１４のレンズ焦点を第一レンチキュラー板１２の裏面又はこの裏面より後方の同一平面上に設定し、第一レンチキュラー板１２を通して立体視可能であるとともに第二レンチキュラー板１４を通して立体視可能な立体視用合成画像写したフィルム１６を、レンズ焦点が設定された平面に配置した。【選択図】　　　　図２
2004057551.tif 000002
【特許請求の範囲】
【請求項１】
遊技機の本体の正面上下、遊技機の遊技盤上全面或いは遊技盤の所定位置に配置される役物に貼付される遊技機の装飾シートにおいて、第一レンチキュラー板と第二レンチキュラー板のシリンドリカルレンズの方向を互いに９０°異ならせて上下に配設し、夫々のレンズ焦点を下方に位置させた第一レンチキュラー板の裏面若しくはこの裏面より後方の平面に一致させ、該レンズ焦点位置に第一レンチキュラー板を通して立体視可能であるとともに、第二レンチキュラー板を通して立体視可能な合成画像シートを配置するように構成したことを特徴とする遊技機の装飾シート。
【発明の詳細な説明】
【０００１】
【発明が属する技術分野】
本発明は、パチンコ機のセル、役物に貼付される装飾シートに関する。より詳しくは、三次元画像のハードコピーにより、立体表示可能な装飾シートに関するものである。
【０００２】
【従来の技術】
遊技機にはパチンコ機１、パチスロ機等と呼ばれるものがあり、以下、図１、図１０、図１１によりパチンコ１機を例にして該パチンコ機１で使用される装飾シートについて説明する。パチンコ機１の装飾シートは機能には直接関係ないが、装飾的な目的として、遊技盤２全域或いは遊技盤２の所定の位置に商品名とかキャラクター等の図柄が表されている。しかしながら、上記装飾を目的とする図柄は、シールに平面的な図柄を印刷して、パネルを介したり、直接遊技盤２や風車３、入賞口４、始動口５、アタッカー６、サイドランプ７等に貼付したものであるので、面白味に欠け、装飾するという役目を発揮していなかった。
【０００３】
それで近時は、一枚のレンチキュラー板９とこの裏面に図柄を印刷した合成画像シート８で構成されるものを、遊技盤２や風車３、入賞口４等に貼付して、合成画像シート８の図柄を立体視することが行われている。レンチキュラー板９は円柱周面形状（シリンドリカル形状）とした縦方向にわたるレンズ１０を複数横方向に並設して板状としたものである。レンチキュラー板９の裏面に位置する前記合成画像シート８には左右の複数の方向から撮影して得られた視差のある複数枚（二枚またはそれ以上）の原画像を分割し、線状に圧縮して合成された一つの立体画像が形成される（図１０）。
【０００４】
遊技者は、遊技機の前に設置されている椅子に座って前記遊技盤２、風車３、入賞口４、始動口５、アタッカー６、サイドランプ７等に貼付された合成画像シート８及びレンチキュラー板９を見ると、例えば右眼で画像αを、左目で画像βを見ることになる。図柄を立体視するのに必要な合成画像は、二像またはそれ以上の原画像から合成されていて、前記画像αと画像βとは異なる画像であり、それらの間では、立体視に必要な視差が含まれているから、遊技者は立体感のある図柄を見ることができる（図１１）。
【０００５】
【発明が解決しようとする課題】
人の目が左右に６５ｍｍ離れていることから、レンチキュラー板を通して、左目と右眼とが視差のある画像を別々に見て、これによって立体感を得ている。また、立体視するためのレンチキュラー板は、縦方向に長いレンズを複数横に並び設けているので、遊技者が小首を傾げたりすると、人の目が縦に近くなって、レンチキュラー板はレンズ機能がなくなり、立体視できない場合を生ずる。そこで本発明は、上記に鑑みていかなる方向からも立体視できる遊技機の装飾シートを提供することを目的とする。
【０００６】
【課題を解決するための手段】
上記課題を解決するため本発明が採用した手段を以下に記載する。本発明請求項１記載の発明は、「遊技機の本体の正面上下、遊技機の遊技盤上全面或いは遊技盤の所定位置に配置される役物に貼付される遊技機の装飾シートにおいて、第一レンチキュラー板と第二レンチキュラー板のシリンドリカルレンズの方向を互いに９０°異ならせて上下に配設し、夫々のレンズ焦点を下方に位置させた第一レンチキュラー板の裏面若しくはこの裏面より後方の平面に一致させ、該レンズ焦点位置に第一レンチキュラー板を通して立体視可能であるとともに、第二レンチキュラー板を通して立体視可能な合成画像シートを配置するように構成したことを特徴とする遊技機の装飾シート」である。
【０００７】
「シリンドリカルレンズの方向を互いに９０°異ならせて上下に配設し」とは、立体視用合成画像の上に、第一レンチキュラー板と第二レンチキュラー板とを重ね合わせて、しかも第一レンチキュラー板のシリンドリカルレンズ配設方向と第二レンチキュラー板のシリンドリカルレンズの配設方向を直交させることである。また、「第一レンチキュラー板を通して立体視可能であるとともに、第二レンチキュラー板を通して立体視可能な合成画像シート」とは、例えば、横方向（左右方向）と縦方向（上下方向）とに視差を持った状態で得られた複数の原画像の内、横方向に視差をもつ複数の原画像を第一、第二レンチキュラー板とに対応させてレンズの配設方向を直交させて重ねた二枚の撮影用レンチキュラー板を用いて分割圧縮し、順次レンズ１ピッチ内に分割圧縮画像を配置しながら、一連の分割圧縮画像を横方向に配置し、また、縦方向に視差をもった複数の原画像を、前記撮影用レンチキュラー板を用いて圧縮分割し、順次レンズ１ピッチ内に分割圧縮画像を配設しながら、一連の分割圧縮画像を縦方向に配置することにより得られることである。
【０００８】
【発明の実施の形態】
以下、遊技機の代表機種であるパチンコ機を例にして、本発明の遊技機の装飾シートの実施の形態を図１〜図９を参考にして詳細に説明する。図１はパチンコ機の正面図、図２は本発明の装飾シートの第一実施例の構成を示す図、図３は第一実施例の第一レンチキュラー板の光学的特性を示す図、図４は第一実施例の第二レンチキュラー板の光学的特性を示す図、図５は第一実施例の直交させたレンチキュラー板による光の収束を示す説明図、図６は立体視用合成画像シートの構成を示す説明図、図７は本発明の装飾シートの第二実施例の構成を示す図、図８は図７に示す第二実施例における第一レンチキュラー板の光学的特性を示す図、図９は図７に示す第二実施例における第二レンチキュラー板の光学的特性を示す図である。
【０００９】
図２は本発明のパチンコ機１の遊技盤２、風車３、入賞口４、始動口５、アタッカー６、サイドランプ７等に貼付される装飾シート１１の構成を示し、図中において１２は第一レンチキュラー板であり、シリンドリカル形状のレンズ１３を横方向に複数並設している。第一レンチキュラー板１２の上方（機台前方側）に複数のシリンドリカル形状のレンズ１５を縦方向に並設した第二レンチキュラー板１４が配置される。また、第一レンチキュラー板１２の裏面には図柄を視差のある立体視用合成画像を写したフィルム１６が貼付される。
【００１０】
第一レンチキュラー板１２のレンズ焦点と第二レンチキュラー板１４のレンズ焦点は、ともに第一レンチキュラー板１２の裏面に設定されている。図３に示すように第一レンチキュラー板１２のレンズ１３は、第一レンチキュラー板１２の裏面に焦点を結ぶ。第一レンチキュラー板１２の上方に配置される第二レンチキュラー板１４は、そのレンズ１５が第一レンチキュラー板１２のレンズ１３と直交しているため、レンズ１３に対して第二レンチキュラー板１４は単なる透明な板となり、レンズ１３によるそのレンズ幅方向の光の集光性に影響を与えない。
【００１１】
また、図４に示すように、第二レンチキュラー板１４は薄く作られていて、その下に配置される第一レンチキュラー板１２を通して第一レンチキュラー板１２の裏面にレンズ焦点が結ばれるように配設される。第一レンチキュラー板１２のレンズ１３が第二レンチキュラー板１４のレンズ１５と直交しているため、レンズ１５に対して第一レンチキュラー板１２は単なる透明な板となり、レンズ１５によるそのレンズ幅方向の光の集光性に影響を与えない。
【００１２】
図５にレンズ１３、１５をそれぞれ一つ取り上げてそれらレンズ１３、１５の光の制御を示した。一方のレンチキュラー板（レンズ）では集束光は線状となるが、図５に示すようにレンズ１３、１５を直交配置した場合には平行光線はそれぞれの方向に集束され結果として集束光は第一レンチキュラー板１２の裏面において点になる。
【００１３】
図６はフィルム１６に写した立体視用合成画像の構成の一例をその一部を拡大して説明している。第一レンチキュラー板１２と第二レンチキュラー板１４とのそれぞれ１ピッチ内に四像設けることとする。遊技者が装飾シート１１を通常のゲームを行う状態で立体視できるのは、第一レンチキュラー板１２に対応して横に並んだ像（ａ１１、ａ１２、ａ１３、ａ１４、）、（ａ２１、ａ２２、ａ２３、ａ２４、）……から、例えば、ａ１１とａ１２、或いはａ１２とａ１３、ａ２１とａ２２などを見て立体感を得ている。すなわち、前記ａ１１とａ１２、ａ１２とａ１３などは横方向において視差のある像（分割圧縮画像）である。同様にして、第二レンチキュラー板１４に対応して縦に並んだ像（ａ１１、ａ２１、ａ３１、ａ４１）、（ａ１２、ａ２２、ａ３２、ａ４２）等は、縦方向において視差のある像となっており、遊技者が小首を傾げて見ると、その遊技者の目は縦に視差の有る像を見て立体視でき、遊技者はいかなる状態で装飾シート１１の図柄を見ても立体視することができる。
【００１４】
第二レンチキュラー板１４の焦点距離と第一レンチキュラー板１２の焦点距離とがほぼ同じ場合には第二レンチキュラー板１４の厚さを０（ゼロ）に近付けなければならないが、これは不可能である。この場合、第二レンチキュラー板１４を適当な任意の厚さとして、図７に示すようにその配置をひっくり返せばよい。第一レンチキュラー板１２ではレンズ１３の境界で集光する方向に光が曲げられ、第二レンチキュラー板１４はその光に対して単なる透明板となる（図８）。また、第二レンチキュラー板１４ではレンズ１５の境界で集光する方向に光が曲げられ、第一レンチキュラー板１２はその光に対して単なる透明板であり、ほぼ第一レンチキュラー板１２と同じ位置に焦点を結ばせることができる（図９）。このように、第一レンチキュラー板１２と第二レンチキュラー板１４の焦点距離がほぼ同様の場合には、第二レンチキュラー板１４をひっくり返すことによって、第一レンチキュラー板１２と第二レンチキュラー板１４のレンズ焦点位置を同一の平面上に、この場合、第一レンチキュラー板１２の裏面に設定できるようになる。
【００１５】
【発明の効果】
以上説明したように、本発明の装飾シートは、レンズ形状を円柱周面形状とした第一レンチキュラー板に、レンズ形状を円柱状としてレンズ配設方向を前記第一レンチキュラー板のレンズ配設方向に直交させた第二レンチキュラー板を重ね、前記第一、第二の両レンチキュラー板のレンズ焦点を第一レンチキュラー板の裏面又はこの裏面より後方の同一平面上に設定し、第一レンチキュラー板を通して立体視可能であるとともに第二レンチキュラー板を通して立体視可能な立体視用合成画像を、レンズ焦点が設定された前記平面に配置したので、従来の装飾シートが左右の視差による立体感しか得られなかったため、遊技者が装飾シートを見て立体視できる場合が限られていたが、本発明の装飾シートにおいては、遊技者がゲームを行う場合にいかなる角度から装飾シートを見ても、図柄を立体視でき、興趣をもってゲームを行うことができる。
【図面の簡単な説明】
【図１】パチンコ機の正面図である。
【図２】本発明に係る第一の実施例の装飾シートの構成を示す図である。
【図３】第一レンチキュラー板の光学的特性を示す図である。
【図４】第二レンチキュラー板の光学的特性を示す図である。
【図５】直交させたレンチキュラー板による光の収束を示す説明図である。
【図６】立体視用合成画像シートの構成を示す説明図である。
【図７】本発明に係る第二実施例の装飾シートの構成を示す図である。
【図８】第一レンチキュラー板の光学的特性を示す図である。
【図９】第二レンチキュラー板の光学的特性を示す図である。
【図１０】従来の装飾シートの構成図である。
【図１１】従来の装飾シートの立体視原理を示す説明図である。
【符号の説明】
１；パチンコ機、２；遊技盤、３；風車、４；入賞口、５；始動口、６；アタッカー、７；サイドランプ、８；合成画像シート、９；レンチキュラー板、１０；レンズ、１１；装飾シート、１２；第一レンチキュラー板　、１３；レンズ、１４；第二レンチキュラー板、１５；レンズ、１６；フィルム。
【図１】
2004057551.tif 000003
【図２】
2004057551.tif 000004
【図３】
2004057551.tif 000005
【図４】
2004057551.tif 000006
【図５】
2004057551.tif 000007
【図６】
2004057551.tif 000008
【図７】
2004057551.tif 000009
【図８】
2004057551.tif 000010
【図９】
2004057551.tif 000011
【図１０】
2004057551.tif 000012
【図１１】
2004057551.tif 000013